(57)【要約】【課題】リブ等の突起が現像ローラに近い位置に配置された場合であっても、現像カートリッジの側面のギアが回転可能な現像カートリッジを提供すること。【解決手段】  現像ローラ３を有する現像カートリッジ１において、筐体２の外面２Ａに、現像ローラ３に接続された現像ローラギア１２、現像ローラギア１２と噛み合うカップリング１１、カップリング１１に噛み合うアイドルギア１４、および、アイドルギア１４に噛み合い、アジテータ５に接続されたアジテータギア１５を配置し、外面２Ａとアジテータギア１５との間に、突部２０Ａを設ける。突部２０Ａは、第１位置と第２位置との間を回転可能であり、第１位置のときに、現像ローラ３と突部２０Ａとを結ぶ第２方向における長さが、第１長さＬ１であり、第２位置のときに、第２方向における長さが、第１長さＬ１よりも短い第２長さＬ２である。【選択図】図２
2017161722.tif 000002
【特許請求の範囲】
【請求項１】
現像剤を収容可能な筐体と、
第１方向に延びる現像ローラと、
前記現像ローラに接続され、かつ、前記現像ローラとともに回転可能な現像ローラギアであって、前記筐体の外面に位置する現像ローラギアと、
前記第１方向に延びる第１軸について回転可能であり、前記外面に位置するカップリングであって、前記現像ローラギアと噛み合い、かつ、前記カップリングとともに回転可能なカップリングギアを備えるカップリングと、
前記カップリングギアに噛み合い、かつ、前記第１方向に延びる第２軸について回転可能な第１アイドルギアであって、前記筐体の外面に位置する第１アイドルギアと、
前記第１アイドルギアとともに前記第２軸について回転可能であり、前記外面に位置し、かつ、前記第１アイドルギアよりも前記外面から離れて位置する第２アイドルギアであって、第２アイドルギアの径は、前記第１アイドルギアの径よりも小さく、前記外面に位置する第２アイドルギアと、
前記第１方向に延びるアジテータと、
前記アジテータに接続され、かつ、前記第１方向に延びる第３軸について前記アジテータとともに回転可能なアジテータギアであって、前記外面に位置し、かつ、前記第２アイドルギアに噛み合うアジテータギアと、
前記第１方向に延びる突部であって、前記アジテータギアの前記第１方向における端面であって前記外面と向かい合う前記端面と、前記外面との間に位置し、かつ、前記現像ローラギアの歯先円と、前記カップリングギアの歯先円と、前記第１アイドルギアの歯先円と、前記第２アイドルギアの歯先円との外側に位置する突部と
を備え、
前記突部は、前記第１方向に延びる第４軸について第１位置と第２位置との間を回転可能であり、
前記突部が前記第１位置のとき、前記現像ローラと前記突部とを結ぶ第２方向における前記突部は、第１長さであり、
前記突部が前記第２位置のとき、前記第２方向における前記突部は、前記第１長さよりも短い第２長さであることを特徴とする現像カートリッジ。
【請求項２】
現像剤を収容可能な筐体と、
第１方向に延びる現像ローラと、
前記現像ローラに接続され、かつ、前記現像ローラとともに回転可能な現像ローラギアであって、前記筐体の外面に位置する現像ローラギアと、
前記第１方向に延びる第１軸について回転可能であり、前記外面に位置するカップリングであって、前記現像ローラギアと噛み合い、かつ、前記カップリングとともに回転可能なカップリングギアを備えるカップリングと、
前記カップリングギアに噛み合い、かつ、前記第１方向に延びる第２軸について回転可能な第１アイドルギアであって、前記筐体の外面に位置する第１アイドルギアと、
前記第１アイドルギアとともに前記第２軸について回転可能であり、前記外面に位置し、かつ、前記第１アイドルギアよりも前記外面から離れて位置する第２アイドルギアであって、第２アイドルギアの径は、前記第１アイドルギアの径よりも小さく、前記外面に位置する第２アイドルギアと、
前記第１方向に延びるアジテータと、
前記アジテータに接続され、かつ、前記第１方向に延びる第３軸について前記アジテータとともに回転可能なアジテータギアであって、前記外面に位置し、かつ、前記第２アイドルギアに噛み合うアジテータギアと、
前記第１方向に延びる突部であって、前記アジテータギアの前記第１方向における端面であって前記外面と向かい合う前記端面と、前記外面との間に位置し、かつ、前記現像ローラギアの歯先円と、前記カップリングギアの歯先円と、前記第１アイドルギアの歯先円と、前記第２アイドルギアの歯先円との外側に位置する突部と
を備え、
前記突部は、前記第１方向に延びる第４軸について第１位置と第２位置との間を回転可能であり、
前記突部は、前記突部が前記第１位置のときに押圧力を受ける第１面と、前記突部が前記第２位置のときに押圧力を受ける第２面と、を有し、
前記突部が第１位置に位置するときにおける前記現像ローラと前記第１面との距離は、前記突部が第２位置に位置するときにおける前記現像ローラと前記第２面との距離よりも長いことを特徴とする現像カートリッジ。
【請求項３】
前記突部は、前記外面に取り付けられることを特徴とする請求項１または請求項２に記載の現像カートリッジ。
【請求項４】
前記筐体は、前記外面から前記第１方向に離れた第２外面を有し、
現像カートリッジは、前記第１方向に延びる第２突部であって、前記第２外面に位置する第２突部を備え、
前記突部の少なくとも一部と、前記第２突部の少なくとも一部とは、前記第１方向において並んでいることを特徴とする請求項１から請求項３のいずれか一項に記載の現像カートリッジ。
【請求項５】
前記第２突部は、前記第２外面に取り付けられることを特徴とする請求項４に記載の現像カートリッジ。
【請求項６】
前記突部は、前記現像カートリッジがドラムカートリッジに取り付けられたときに、前記ドラムカートリッジの押圧部材から押圧力を受けることが可能であり、
前記突部は、前記現像カートリッジが前記ドラムカートリッジに取り付けられる前において、前記第１位置に位置していることを特徴とする請求項１から請求項５のいずれか一項に記載の現像カートリッジ。
【請求項７】
前記突部は、前記現像カートリッジが前記ドラムカートリッジに取り付けられることに応じて、前記第１位置から前記第２位置に移動することを特徴とする請求項６に記載の現像カートリッジ。
【発明の詳細な説明】
【技術分野】
【０００１】
本発明は、現像カートリッジに関する。
【背景技術】
【０００２】
従来、ドラムカートリッジに装着可能な現像カートリッジが知られている。ドラムカートリッジは、例えば、感光ドラムを有するカートリッジである（例えば、下記特許文献１参照。）。
【０００３】
現像カートリッジは、現像カートリッジの側面にリブを有する。そして、現像カートリッジがドラムカートリッジに装着されると、リブは、ドラムカートリッジに設けられている揺動アームによって押圧される。これにより、現像カートリッジの現像ローラは、ドラムカートリッジの感光体ドラムに押圧される。
【先行技術文献】
【特許文献】
【０００４】
【特許文献１】特開２０１３−５０４９３号公報
【発明の概要】
【発明が解決しようとする課題】
【０００５】
従来の現像カートリッジでは、現像カートリッジの側面に、カップリング、アイドルギア、および、アジテータギアが設けられる。このため、従来技術の位置よりも現像ローラに近い位置に、リブなどの突起を配置しようとする場合、上述したいずれかのギアと当たり、ギアの回転が妨げられるおそれがある。
【０００６】
そこで、本開示の目的は、リブ等の突起が現像ローラに近い位置に配置された場合であっても、現像カートリッジの側面のギアが回転可能な現像カートリッジを提供することにある。
【課題を解決するための手段】
【０００７】
（１）本開示の現像カートリッジは、筐体と、現像ローラと、現像ローラギアと、カップリングと、第１アイドルギアと、第２アイドルギアと、アジテータと、アジテータギアとを備える。筐体は、現像剤を収容可能である。現像ローラは、第１方向に延びる。現像ローラギアは、現像ローラに接続され、かつ、現像ローラとともに回転可能である。カップリングは、第１方向に延びる第１軸について回転可能である。カップリングは、カップリングギアを備える。カップリングギアは、現像ローラギアと噛み合い、かつ、カップリングとともに回転可能である。第１アイドルギアは、カップリングギアに噛み合い、かつ、第１方向に延びる第２軸について回転可能である。第２アイドルギアは、第１アイドルギアとともに第２軸について回転可能である。第２アイドルギアは、第１アイドルギアよりも外面から離れて位置する。第２アイドルギアの径は、第１アイドルギアの径よりも小さい。アジテータは、第１方向に延びる。アジテータギアは、アジテータに接続され、かつ、第１方向に延びる第３軸についてアジテータとともに回転可能である。アジテータギアは、第２アイドルギアに噛み合う。
【０００８】
現像ローラギア、カップリング、第１アイドルギア、第２アイドルギアおよびアジテータギアは、筐体の外面に位置する。
【０００９】
また、現像カートリッジは、第１方向に延びる突部を備える。突部は、アジテータギアの第１方向における端面であって外面と向かい合う端面と、外面との間に位置する。突部は、現像ローラギアの歯先円と、カップリングギアの歯先円と、第１アイドルギアの歯先円と、第２アイドルギアの歯先円との外側に位置する。突部は、第１方向に延びる第４軸について第１位置と第２位置との間を回転可能である。
【００１０】
突部が第１位置のとき、現像ローラと突部とを結ぶ第２方向における突部は、第１長さである。突部が第２位置のとき、第２方向における突部は、第１長さよりも短い第２長さである。
【００１１】
このような構成によれば、突部は、第１軸と第３軸との間において外面に位置し、現像ローラギアの歯先円と、カップリングギアの歯先円と、第１アイドルギアの歯先円と、第２アイドルギアの歯先円との外側に位置する。そして、第１アジテータギアは、第１方向において、突部から間隔を空けて離れている。
【００１２】
そのため、突部が現像ローラの近い位置、具体的には、第１軸と第３軸との間に配置された場合であっても、カップリング、アイドルギアおよび第１アジテータギアを回転させることができる。
（２）突部は、突部が第１位置のときに押圧力を受ける第１面と、突部が第２位置のときに押圧力を受ける第２面とを有する。突部が第１位置に位置するときにおける現像ローラと第１面との距離は、突部が第２位置に位置するときにおける現像ローラと第２面との距離よりも長い。
（３）突部は、外面から延びてもよい。
（４）筐体は、外面から第１方向に離れた第２外面を有してもよい。現像カートリッジは、第１方向に延びる第２突部であって、第２外面に位置する第２突部を備えてもよい。突部の少なくとも一部と、第２突部の少なくとも一部とは、第１方向において並んでいてもよい。
（５）第２突部は、第２外面から延びてもよい。
（６）突部は、現像カートリッジがドラムカートリッジに取り付けられたときに、ドラムカートリッジの押圧部材から押圧力を受けることが可能であってもよい。突部は、現像カートリッジがドラムカートリッジに取り付けられる前において、第１位置に位置していてもよい。
（７）突部は、現像カートリッジがドラムカートリッジに取り付けられることに応じて、第１位置から第２位置に移動してもよい。
【発明の効果】
【００１３】
本発明の現像カートリッジでは、突部が現像ローラの近い位置に配置された場合であっても、カップリング、アイドルギアおよびアジテータギアを回転させることができる。
【図面の簡単な説明】
【００１４】
【図１】図１は、現像カートリッジの斜視図である。
【図２】図２は、図１に示す現像カートリッジの側面図である。
【図３】図３は、図２に示す現像カートリッジのＡ−Ａ断面図である。
【図４】図４は、図１に示す突部を説明するための説明図であって、突部が第１位置に位置した状態を示す。
【図５】図５は、図４に示す突部を説明するための説明図であって、突部が第２位置に位置した状態を示す。
【図６】図６は、図４に示す突部を分解した斜視図である。
【図７】図７は、現像カートリッジが第１の仕様のドラムカートリッジに装着された状態を示す断面図である。
【図８】図８は、現像カートリッジが第２の仕様のドラムカートリッジに装着された状態を示す断面図である。
【発明を実施するための形態】
【００１５】
１．現像カートリッジ１
図１、図２および図３を参照して、現像カートリッジ１を説明する。
【００１６】
現像カートリッジ１は、画像形成装置に対して着脱可能である。現像カートリッジ１は、筐体２と、現像ローラ３と、アジテータ５と、ギア列８とを備える。さらに、現像カートリッジ１は、ハンドル６を備える。
【００１７】
なお、以下の説明において、現像ローラ３が延びる方向が、第１方向である。また、第１方向において、ギア列８が設けられる側が、第１方向の一方であり、ギア列８が設けられる側と反対側が、第１方向の他方である。
【００１８】
１．１  筐体
筐体２は、第１方向に延びる。筐体２は、現像剤を収容可能である。現像剤は、例えば、トナーである。なお、以下の説明において、筐体２の内側および外側に言及するときは、現像剤が収容される側が、筐体２の内側である。また、現像剤が収容される内側と反対側が、筐体２の外側である。また、筐体２の内側に位置する面が、内面であり、筐体２の外側に位置する面が、外面である。筐体２は、第１方向において、一方の外面２Ａと、他方の外面２Ｂとを備える。
【００１９】
１．２  現像ローラ３
現像ローラ３は、筐体２内の現像剤を、後述する感光ドラム３１（図７参照）に供給するための構成である。現像ローラ３は、筐体２の一端部に位置する。現像ローラ３の周面の一部は、筐体２の外側に露出している。現像ローラ３は、現像ローラシャフト３Ａと、現像ローラ本体部３Ｂとを備える。現像ローラシャフト３Ａおよび現像ローラ本体部３Ｂは、第１方向に延びる。現像ローラ本体部３Ｂは、円柱形状を有する。現像ローラ本体部３Ｂは、現像ローラシャフト３Ａとともに回転可能である。
【００２０】
１．３  アジテータ５
アジテータ５は、筐体２内の現像剤を撹拌するとともに、筐体２内の現像剤を現像ローラ３へ送るための構成である。アジテータ５は、筐体２の内部に位置する。アジテータ５は、第１方向に延びる第３軸Ａ３について回転可能である。アジテータ５は、アジテータシャフト５Ａと、羽根５Ｂとを備える。アジテータシャフト５Ａは、第３軸Ａ３に沿って延びる。羽根５Ｂは、アジテータシャフト５Ａから、第３軸Ａ３と交差する方向に延びる。
【００２１】
１．４  ハンドル６
ハンドル６は、現像カートリッジ１がユーザによって取り扱われるときに、ユーザによって把持される構成である。ハンドル６は、筐体２に対して現像ローラの反対側に位置する。ハンドル６は、筐体の他端部から延びる。ハンドル６は、現像ローラ３から離れる方向に延びる。
【００２２】
２．ギア列８の詳細
図１および図２に示すように、ギア列８は、画像形成装置から受けた駆動力を、現像ローラ３およびアジテータ５に伝えるための構成である。ギア列８は、筐体２の外面２Ａに位置する。ギア列８は、カップリング１１と、現像ローラギア１２と、アイドルギア１４と、アジテータギア１５とを備える。
【００２３】
２．１  カップリング１１
カップリング１１は、画像形成装置から駆動力を受けるための構成である。カップリング１１は、外面２Ａに位置する。カップリング１１は、外面２Ａに取り付けられる。カップリング１１は、第１方向に延びる第１軸Ａ１について回転可能である。カップリング１１は、第１方向に延びる。カップリング１１は、第１方向において、一端部と、他端部とを有する。他端部は、第１方向において、一端部よりも筐体２から離れて位置する。カップリング１１は、カップリングギア１１Ａと、継手１１Ｂとを備える。
【００２４】
カップリングギア１１Ａは、第１方向において、カップリング１１の一端部に位置する。カップリングギア１１Ａは、第１方向において、外面２Ａと継手１１Ｂとの間に位置する。カップリングギア１１Ａは、複数のギア歯を有する。複数のギア歯は、カップリングギア１１Ａの周面に設けられる。
【００２５】
継手１１Ｂは、画像形成装置の駆動入力部と連結可能である。継手１１Ｂは、駆動入力部と連結することにより、駆動入力部とともに回転可能となる。継手１１Ｂは、第１方向において、カップリング１１の他端部に位置する。継手１１Ｂは、第１方向において、カップリングギア１１Ａに対して、外面２Ａの反対側に位置する。継手１１Ｂは、カップリングギア１１Ａと一体的に構成される。これにより、カップリングギア１１Ａは、カップリング１１とともに回転可能である。
２．２  現像ローラギア１２
現像ローラギア１２は、カップリング１１から現像ローラシャフト３Ａに駆動力を伝えるための構成である。現像ローラギア１２は、第１方向において、外面２Ａに対して、カップリング１１と同じ側に位置する。現像ローラギア１２は、カップリングギア１１Ａと噛み合う。現像ローラギア１２は、現像ローラシャフト３Ａの端部に取り付けられる。現像ローラギア１２は、現像ローラシャフト３Ａとともに回転可能である。現像ローラギア１２は、現像ローラシャフト３Ａの端部に取り付けられることにより、外面２Ａに位置する。現像ローラギア１２は、複数のギア歯を有する。複数のギア歯は、現像ローラギア１２の周面に設けられる。
【００２６】
２．３  アイドルギア１４
アイドルギア１４は、カップリング１１からアジテータギア１５に駆動力を伝えるための構成である。アイドルギア１４は、外面２Ａに位置する。アイドルギア１４は、外面２Ａに取り付けられる。アイドルギア１４は、第１方向において、外面２Ａに対して、カップリング１１と同じ側に位置する。アイドルギア１４は、カップリングギア１１Ａの周方向において、現像ローラギア１２から離れて位置する。詳しくは、アイドルギア１４は、カップリングギア１１Ａの径方向において、カップリングギア１１Ａに対して、現像ローラギア１２の反対側に位置する。アイドルギア１４は、第１アイドルギア１４Ａと、第２アイドルギア１４Ｂとを備える。
【００２７】
第１アイドルギア１４Ａと第２アイドルギア１４Ｂとは、第１方向において、互いに並んで位置する。第２アイドルギア１４Ｂは、第１方向において、第１アイドルギア１４Ａに対して、外面２Ａの反対側に位置する。すなわち、第２アイドルギア１４Ｂは、第１方向において、第１アイドルギア１４Ａよりも外面２Ａから離れて位置する。第１アイドルギア１４Ａは、カップリングギア１１Ａに噛み合う。第２アイドルギア１４Ｂは、アジテータギア１５に噛み合う。第１アイドルギア１４Ａおよび第２アイドルギア１４Ｂは、第１方向に延びる第２軸Ａ２について、一体的に回転可能である。すなわち、第２アイドルギア１４Ｂは、第１アイドルギア１４Ａとともに第２軸Ａ２について回転可能である。第１アイドルギア１４Ａは、複数のギア歯を有する。複数のギア歯は、第１アイドルギア１４Ａの周面に設けられる。第２アイドルギア１４Ｂは、第１アイドルギア１４Ａの径よりも小さな径を有する。第２アイドルギア１４Ｂは、複数のギア歯を有する。複数のギア歯は、第２アイドルギア１４Ｂの周面に設けられる。
【００２８】
２．３  アジテータギア１５
アジテータギア１５は、第２アイドルギア１４Ｂからアジテータシャフト５Ａに駆動力を伝えるための構成である。アジテータギア１５は、第１方向において、外面２Ａに対して、カップリング１１と同じ側に位置する。アジテータギア１５は、第２アイドルギア１４Ｂと噛み合う。アジテータギア１５は、アジテータシャフト５Ａの端部に取り付けられる。アジテータギア１５は、アジテータシャフト５Ａとともに回転可能である。アジテータギア１５は、アジテータシャフト５Ａの端部に取り付けられることにより、外面２Ａに位置する。アジテータギア１５は、第１方向において、外面２Ａと向かい合う端面１５Ａを有する。端面１５Ａは、第１方向において、外面２Ａから離れて位置する。アジテータギア１５は、複数のギア歯を有する。複数のギア歯は、アジテータギア１５の周面に設けられる。
【００２９】
３．  突部２０Ａおよび第２突部２０Ｂ
筐体２は、図２および図３に示すように、突部２０Ａと、第２突部２０Ｂとを、さらに備える。突部２０Ａは、外面２Ａに位置する。詳しくは、突部２０Ａは、外面２Ａに取り付けられる。第２突部２０Ｂは、外面２Ｂに位置する。詳しくは、第２突部２０Ｂは、外面２Ｂに取り付けられる。第２突部２０Ｂの少なくとも一部は、第１方向において、突部２０Ａの少なくとも一部と並んでいる。第２突部２０Ｂは、突部２０Ａと同じ構造を有する。そのため、以下の説明において、突部２０Ａの構造を詳細に説明し、第２突部２０Ｂの構造についての説明を省略する。
【００３０】
３．１  突部２０Ａの位置
図２から図６に示すように、突部２０Ａは、第１方向に延びる。突部２０Ａは、現像ローラ３の中心軸と第３軸Ａ３とを結ぶ仮想線Ｌに対して、第２アイドルギア１４Ｂの反対側に位置する。突部２０Ａは、第１軸Ａ１と第３軸Ａ３とを結ぶ方向において、第１軸Ａ１と第３軸Ａ３との間に位置する。突部２０Ａは、現像ローラギア１２の径方向において、現像ローラギア１２の歯先円Ｃ１の外側に位置する。また、突部２０Ａは、、カップリングギア１１Ａの径方向において、カップリングギア１１Ａの歯先円Ｃ２の外側に位置する。また、突部２０Ａは、第１アイドルギア１４Ａの径方向において、第１アイドルギア１４Ａの歯先円Ｃ３の外側に位置する。また、突部２０Ａは、第２アイドルギア１４Ｂの径方向において、第２アイドルギア１４Ｂの歯先円Ｃ４の外側に位置する。また、突部２０Ａの少なくとも一部は、アジテータギア１５の径方向において、アジテータギア１５の歯先円Ｃ５の内側に位置する。
【００３１】
また、突部２０Ａは、第１方向において、外面２Ａと、アジテータギア１５の端面１５Ａとの間に位置する。また、アジテータギア１５の端面１５Ａは、第１方向において、突部２０Ａから離れて位置する。
【００３２】
これにより、突部２０Ａは、アジテータギア１５の歯先円Ｃ５の内側に位置していたとしても、アジテータギア１５の回転を妨げない。
【００３３】
その結果、突部２０Ａが現像ローラ３の近い位置に配置された場合であっても、カップリング１１、アイドルギア１４およびアジテータギア１５を回転させることができる。
【００３４】
３．２  突部２０Ａの構造
以下、突部２０Ａの構造について説明する。
【００３５】
図２および図４に示すように、突部２０Ａは、現像ローラ３と突部２０Ａとを結ぶ第２方向に延びる。言い換えれば、第２方向は、現像ローラシャフト３Ａと突部２０Ａとを結ぶ方向である。詳しくは、突部２０Ａは、第２方向において、第１長さＬ１である。第２方向は、第１方向と交差する。つまり、第２方向は、後述する第４軸Ａ４と交差する。また、突部２０Ａは、第１方向および第２方向と交差する第３方向において、第２長さＬ２である。第２長さＬ２は、第１長さＬ１よりも短い。突部２０Ａは、第２方向において、一端部と、他端部とを有する。他端部は、一端部よりも第４軸Ａ４の近くに位置する。突部２０Ａは、第１面Ｓ１と、第２面Ｓ２とを備える。第１面Ｓ１は、第２方向において、突部２０Ａの一端部に位置する。第２面Ｓ２は、第１面Ｓ１に連続し、第２方向に延びる。
【００３６】
突部２０Ａは、図４および図５に示すように、第１方向に延びる第４軸Ａ４について回転可能である。また、突部２０Ａは、第４軸Ａ４について回転することにより、第１位置（図４参照）と、第２位置（図５参照）との間を移動可能である。
【００３７】
図４および図７に示すように、第１位置は、第２方向において、突部２０Ａの長さが第１長さＬ１となる位置である。
【００３８】
第１面Ｓ１は、突部２０Ａが第１位置に位置するときに、第１面Ｓ１は、第２方向において、現像ローラ３へ向かう方向への押圧力を受けることができる。より詳細には、第１面Ｓ１は、後述する第１の仕様のドラムカートリッジ３０Ａの押圧部材３２Ａが接触することにより、押圧部材３２Ａから感光ドラム３１へ向けての押圧力を受ける。第１面Ｓ１は、具体的には、曲面である。
【００３９】
図５および図８に示すように、第２位置は、第２方向において、突部２０Ａの長さが第２長さＬ２となる位置である。
【００４０】
第２面Ｓ２は、突部２０Ａが第２位置に位置するときに、第２面Ｓ２は、現像ローラ３へ向かう方向への押圧力を受けることができる。第２面Ｓ２は、後述する第２の仕様のドラムカートリッジ３０Ｂの押圧部材３２Ｂが接触することにより、押圧部材３２Ｂから感光ドラム３１へ向けての押圧力を受ける。第２方向において、現像ローラシャフト３Ａの中心軸と第２面Ｓ２との距離Ｄ２は、現像ローラシャフト３Ａの中心軸と第１面Ｓ１との距離Ｄ１よりも短い。第２面Ｓ２は、具体的には、平面である。
【００４１】
３．３  突部２０Ａの取り付け構造
図６に示すように、突部２０Ａは、さらに、第１貫通穴２４と、第２貫通穴２５とを有する。第１貫通穴２４は、第１方向において、突部２０Ａを貫通する。第１貫通穴２４は、円形状である。第２貫通穴２５は、第１方向において、突部２０Ａを貫通する。
【００４２】
図６に示すように、筐体２は、さらに、シャフト２１、第１ストッパ２２および第２ストッパ２３を備える。シャフト２１、第１ストッパ２２および第２ストッパ２３は、それぞれ、外面２Ａに位置する。
【００４３】
図６に示すように、シャフト２１は、外面２Ａから延びる。シャフト２１は、第４軸Ａ４に沿って延びる。なお、シャフト２１は、外面２Ａに取り付けられてもよい。シャフト２１は、円柱形状である。シャフト２１は、第１貫通穴２４に挿入される。これにより、突部２０Ａは、シャフト２１に回転可能に取り付けられる。なお、突部２０Ａは、第１貫通穴２４の代わりに、突部２０Ａを貫通していない穴を有してもよい。穴は、シャフト２１が挿入可能であればよい。
【００４４】
図６に示すように、第１ストッパ２２は、第２方向において、シャフト２１に対して、現像ローラ３の反対側に位置する。第１ストッパ２２は、突部２０Ａが第１位置に位置するときに、第２貫通穴２５に嵌まる。これにより、第１ストッパ２２は、突部２０Ａが第１位置から移動することを防止する。また、第１ストッパ２２は、外面２Ａから第１方向に延びている。なお、第１ストッパ２２は、外面２Ａに取り付けられてもよい。
【００４５】
第２ストッパ２３は、第１ストッパ２２よりも第２方向において現像ローラ３の近くに位置する。第２ストッパ２３は、突部２０Ａが第２位置に位置するときに、第２貫通穴２５に嵌まる。これにより、第２ストッパ２３は、突部２０Ａが第２位置から移動することを防止する。なお、突部２０Ａは、第２貫通穴２５の代わりに、突部２０Ａを貫通していない穴を有してもよい。穴は、第２ストッパ２３が挿入可能であればよい。また、第２ストッパ２３は、外面２Ａから第１方向に延びている。なお、第２ストッパ２３は、外面２Ａに取り付けられてもよい。
【００４６】
そして、図４および図５に示すように、突部２０Ａは、ネジ２６により、シャフト２１から抜けることを防止されている。詳しくは、図６に示すように、ネジ２６は、シャフト２１の穴２１Ａに挿入される軸部２６Ａと、軸部２６Ａの一端部に位置する頭部２６Ｂとを有する。頭部２６Ｂの径は、第１貫通穴２４の径よりも大きい。ネジ２６は、突部２０Ａがシャフト２１に取り付けられた状態で、シャフト２１に固定される。このとき、頭部２６Ｂは、第１方向において、第１貫通穴２４の縁と向かい合う。これにより、ネジ２６は、突部２０Ａがシャフト２１から抜けることを防止する。
【００４７】
４．ドラムカートリッジ３０Ａ
以下、図７を参照して、第１の仕様のドラムカートリッジ３０Ａの構成について説明する。ドラムカートリッジ３０Ａは、現像カートリッジ１を着脱可能である。また、ドラムカートリッジ３０Ａは、画像形成装置に対して着脱可能である。ドラムカートリッジ３０Ａは、感光ドラム３１を備える。感光ドラム３１は、ドラムカートリッジ３０Ａの一端部に位置する。
【００４８】
また、ドラムカートリッジ３０Ａは、押圧部材３２Ａを備える。押圧部材３２Ａは、装着された現像カートリッジ１を感光ドラム３１に向けて押圧するための構成である。
【００４９】
押圧部材３２Ａは、感光ドラム３１の径方向において、感光ドラム３１に対して、間隔を隔てて位置する。ドラムカートリッジ３０Ａに現像カートリッジ１が装着されたときに、感光ドラム３１と押圧部材３２Ａとを結ぶ方向は、第２方向となる。以下、ドラムカートリッジ３０Ａに現像カートリッジ１が装着されたときを基準として説明する。押圧部材３２Ａは、支持壁３３、押圧壁３４および圧縮ばね３５を有する。
【００５０】
支持壁３３は、第２方向と交差する方向に延びる。好ましくは、支持壁３３は、第２方向と直交する方向に延びる。
【００５１】
押圧壁３４は、第２方向において、支持壁３３と感光ドラム３１との間に位置する。押圧壁３４は、第２方向において、支持壁３３から離れて位置する。押圧壁３４は、第２方向と交差する方向に延びる。好ましくは、押圧壁３４は、第２方向と直交する方向に延びる。
【００５２】
圧縮ばね３５は、第２方向において、支持壁３３と押圧壁３４との間に位置する。圧縮ばね３５は、第２方向に延びる。第２方向において、圧縮ばね３５の一端部は、押圧壁３４に接触する。また、第２方向において、圧縮ばね３５の他端部は、支持壁３３に接触する。
【００５３】
また、ドラムカートリッジ３０Ａは、感光ドラム３１の軸が延びる方向において、押圧部材３２Ａから離れた位置に、押圧部材３２Ａと同じ構造の第２押圧部材を有する。
【００５４】
５．ドラムカートリッジ３０Ａに対する現像カートリッジ１の装着状態
現像カートリッジ１がドラムカートリッジ３０Ａに装着される場合には、突部２０Ａは、第１位置に位置する。
【００５５】
押圧壁３４は、ドラムカートリッジ３０Ａに現像カートリッジ１が装着されたときに、突部２０Ａの第１面Ｓ１に接触する。
【００５６】
すると、圧縮ばね３５は、支持壁３３と押圧壁３４との間で、第２方向に圧縮される。これにより、押圧部材３２Ａは、押圧壁３４によって、現像カートリッジ１の突部２０Ａを感光ドラム３１へ向けて押圧する。
【００５７】
また、第２押圧部材は、ドラムカートリッジ３０Ａに現像カートリッジ１が装着されたときに、第２突部２０Ｂの第１面Ｓ１に接触する。第２押圧部材は、第２突部２０Ｂを感光ドラム３１へ向けて押圧する。
【００５８】
６．ドラムカートリッジ３０Ｂ
以下、図８を参照して、第２の仕様のドラムカートリッジ３０Ｂについて説明する。ドラムカートリッジ３０Ｂにおいて、ドラムカートリッジ３０Ａと同じ部材については、同じ符号を付し、その説明を省略する。
【００５９】
ドラムカートリッジ３０Ｂでは、押圧壁３４は、第２方向において、ドラムカートリッジ３０Ａの押圧壁３４よりも感光ドラム３１の近くに位置する。
【００６０】
７．ドラムカートリッジ３０Ｂに対する現像カートリッジ１の装着状態
現像カートリッジ１がドラムカートリッジ３０Ｂに装着される場合には、突部２０Ａは、第２位置に位置する。
【００６１】
押圧壁３４は、ドラムカートリッジ３０Ｂに現像カートリッジ１が装着されたときに、突部２０Ａの第２面Ｓ２に接触する。押圧部材３２Ｂは、押圧壁３４によって、現像カートリッジ１の突部２０Ａを感光ドラム３１へ向けて押圧する。
【００６２】
また、第２押圧部材は、ドラムカートリッジ３０Ｂに現像カートリッジ１が装着されたときに、第２突部２０Ｂの第２面Ｓ２に接触する。第２押圧部材は、第２突部２０Ｂを感光ドラム３１へ向けて押圧する。
【００６３】
８．作用効果
この現像カートリッジ１によれば、図４に示すように、突部２０Ａが第１位置のとき、第２方向における突部２０Ａの長さは、第１長さＬ１である。また、図５に示すように、突部２０Ａが第２位置のとき、第２方向における突部２０Ａの長さは、第１長さＬ１よりも短い第２長さＬ２である。
【００６４】
これにより、図７および図８に示すように、突部２０Ａが第１位置に位置するときにおける現像ローラ３と第１面Ｓ１との距離Ｄ１と、突部２０Ａが第２位置に位置するときにおける現像ローラ３と第２面Ｓ２との距離Ｄ２とを異ならせることができる。具体的には、突部２０Ａが第１位置に位置するときにおける現像ローラ３と第１面Ｓ１との距離Ｄ１を、突部２０Ａが第２位置に位置するときにおける現像ローラ３と第２面Ｓ２との距離Ｄ２よりも長くできる。
【００６５】
そのため、第１の仕様のドラムカートリッジ３０Ａと、第２の仕様のドラムカートリッジ３０Ｂとで、第２方向における感光ドラム３１と押圧壁３４との距離が異なる場合に、突部２０Ａを回転させて、現像ローラ３と押圧力を受ける面との距離を、感光ドラム３１と押圧壁３４との距離に合わせることができる。
【００６６】
具体的には、第１の仕様のドラムカートリッジ３０Ａに現像カートリッジ１を装着するときには、突部２０Ａを第１位置に位置させる。これにより、現像ローラ３と第１面Ｓ１との距離Ｄ１を、感光ドラム３１と押圧壁３４との距離に合わせることができる。
【００６７】
また、第２の仕様のドラムカートリッジ３０Ａに現像カートリッジ１を装着するときには、突部２０Ａを第２位置に位置させる。これにより、現像ローラ３と第２面Ｓ２との距離Ｄ２を、感光ドラム３１と押圧壁３４との距離に合わせることができる。
【００６８】
このように、突部２０Ａを回転させて、押圧力を受ける面の位置を変更することにより、ドラムカートリッジ３０Ａおよびドラムカートリッジ３０Ｂのそれぞれに、現像カートリッジ１を装着することができる。
【００６９】
また、突部２０Ａを回転させて、押圧力を受ける面の位置を変更することにより、ドラムカートリッジ３０Ａおよびドラムカートリッジ３０Ｂのそれぞれの押圧部材の位置に、押圧力を受ける面の位置を、適合させることができる。
【００７０】
これにより、現像カートリッジ１は、ドラムカートリッジ３０Ａに装着された場合、および、ドラムカートリッジ３０Ｂに装着された場合のいずれの場合にも、感光ドラム３１への適切な押圧力を受けることができる。
【００７１】
９．変形例
上記した実施形態では、突部２０Ａが第２位置に位置した状態で、現像カートリッジ１がドラムカートリッジ３０Ｂに装着されているが、突部２０Ａが第１位置に位置した状態で、現像カートリッジ１がドラムカートリッジ３０Ｂに装着されてもよい。
【００７２】
この場合、突部２０Ａは、現像カートリッジ１がドラムカートリッジ３０Ｂに取り付けられる前において、第１位置に位置し、現像カートリッジ１がドラムカートリッジ３０Ｂに取り付けられるときに、押圧壁３４に当たることにより、第１位置から第２位置に回転する。詳しくは、突部２０Ａは、ユーザが現像カートリッジ１をドラムカートリッジ３０Ｂに押し込むことにより、押圧壁３４からの反力を受けて、第１ストッパ２２を乗り越える。これにより、第１ストッパ２２が突部２０Ａの第２貫通穴２５から外れ、突部２０Ａが、第１位置から第２位置へ向かって回転可能となる。さらに、ユーザが現像カートリッジ１をドラムカートリッジ３０Ｂに押し込むと、突部２０Ａは、第２ストッパ２３を乗り越えて、第２位置に位置する。これにより、第２ストッパ２３が突部２０Ａの第２貫通穴２５に嵌まり、第２ストッパ２３により、突部２０Ａが、第２位置から回転することを防止される。
【００７３】
その後、突部２０Ａが第２位置に位置した状態で、現像カートリッジ１がドラムカートリッジ３０Ｂに装着される。
【００７４】
また、押圧部材３２Ａおよび押圧部材３２Ｂは、押圧壁３４を備えなくてもよい。この場合、突部２０Ａは、押圧部材３２Ａの圧縮ばね３５によって、直接、押圧される。また、突部２０Ｂは、押圧部材３２Ｂの圧縮ばね３５によって、直接、押圧される。
【符号の説明】
【００７５】
１      現像カートリッジ
２      筐体
２Ａ    外面
２Ｂ    外面
３      現像ローラ
５      アジテータ
１１    カップリング
１１Ａ  カップリングギア
１２    現像ローラギア
１４    アイドルギア
１４Ａ  第１アイドルギア
１４Ｂ  第２アイドルギア
１５    アジテータギア
１５Ａ  端面
２０Ａ  突部
２０Ｂ  第２突部
３０Ａ  ドラムカートリッジ
３０Ｂ  ドラムカートリッジ
３２Ａ  押圧部材
３２Ｂ  押圧部材
Ａ１    第１軸
Ａ２    第２軸
Ａ３    第３軸
Ａ４    第４軸
Ｃ１    歯先円
Ｃ２    歯先円
Ｃ３    歯先円
Ｃ４    歯先円
Ｃ５    歯先円
Ｄ１    距離
Ｄ２    距離
Ｓ１    第１面
Ｓ２    第２面
Ｌ１    第１長さ
Ｌ２    第２長さ
【図１】
2017161722.tif 000003
【図２】
2017161722.tif 000004
【図３】
2017161722.tif 000005
【図４】
2017161722.tif 000006
【図５】
2017161722.tif 000007
【図６】
2017161722.tif 000008
【図７】
2017161722.tif 000009
【図８】
2017161722.tif 000010